(57)【特許請求の範囲】
【請求項１】
前面に開口部を有し、縦長に形成された矩形箱状の投函箱と、投函口開閉蓋扉と、投函口が貫通形成された取出口開閉蓋扉とを備えてなり、
前記投函口開閉蓋扉は、前記投函箱に上下方向に延びる軸線周りに回動可能に支持されて前記開口部を開閉するように設けられ、
前記取出口開閉蓋扉は、閉じた状態で前記投函口開閉蓋扉と所定の間隔をあけて前記投函口開閉扉よりも前記投函箱の後端側に配設され、且つ、前記投函箱に上下方向に延びる軸線周りに回動可能に支持されて前記投函口開閉蓋扉よりも前記投函箱の後端側に形成された取出口を開閉するように設けられていることを特徴とするポスト。
【請求項２】
請求項１記載のポストにおいて、
前記投函口開閉蓋扉が、前記投函箱の前端を形成する一側端部側に回動可能に支持され、
前記取出口開閉蓋扉が、前記投函口開閉蓋扉よりも前記投函箱の後端側の一側端部側に回動可能に支持されているポスト。
【請求項３】
請求項１または請求項２に記載のポストにおいて、
前記投函口開閉蓋扉よりも前記投函箱の後端側の上部側に、上端から下方に所定の長さをもって上部側の開口を塞ぐように固定板部が前記投函箱に一体に設けられており、
前記固定板部によって該固定板部よりも下方に前記取出口が形成され、且つ、前記固定板部に前記取出口開閉蓋扉を施錠するための錠前が取り付けられているポスト。
【請求項４】
請求項１から請求項３のいずれか一項に記載のポストにおいて、
前記取出口開閉蓋扉には、前記投函口を形成する周縁の両側縁部にそれぞれ上下方向に延びる軸線周りに回動可能に接続し、前記投函口の各側縁部側から幅方向中央に向けて突出し、前記取出口開閉蓋扉を閉じた状態で前記投函箱の内側に回動して両開きする一対のフラップが設けられているポスト。
【請求項５】
請求項４記載のポストにおいて、
前記投函口の上部側に前記フラップがない所定の高さ寸法の開口部分を残すように、前記一対のフラップが設けられているポスト。
【請求項６】
請求項５記載のポストにおいて、
前記フラップがない所定の高さ寸法の開口部分の下端側がＶ字状を呈するように、前記一対のフラップがそれぞれ、上端側に切欠き部を備えて形成されているポスト。
【請求項７】
請求項１から請求項６のいずれか一項に記載のポストにおいて、
前記投函箱内に設けられ、前記投函口から投函された投函物を受けるトレイを備えており、
前記トレイは、底板と底板の周縁から上方に突出する側板からなり前記投函物を受けるトレイ本体部と、前記トレイ本体部の前端側、且つ前記投函箱内に収容した状態で前記投函箱の他側端側に設けられ、前記トレイ本体部から上方に突設された指掛け部とを備えて形成されているポスト。
【請求項８】
請求項７記載のポストにおいて、
前記トレイ本体部には、前端側に前記底板から下方に突出する係合凸部が設けられ、
前記投函箱には、前記トレイを内部の所定位置に収容した状態で、前記トレイ本体部の係合凸部が係合する係合凹部が凹設され、
前記係合凸部を前記係合凹部に係合させた状態で前記指掛け部に指をかけ手前に引き込むことにより前記係合凸部中心に前記トレイが回動するように構成されているポスト。
【発明の詳細な説明】
【技術分野】
【０００１】
本発明は、縦型のポストに関する。
【背景技術】
【０００２】
従来、高さ寸法及び奥行寸法を想定投函物の大きさに合わせ、幅寸法よりも高さ寸法及び奥行寸法を大きくした縦型のポストがある。
【０００３】
また、この種の縦型のポストは、一般に、矩形箱状の縦長で、背面が開口形成されて取出口が設けられ、且つ前面に投函口が開口形成され、前面の投函口から内部に投函物が投函されてこれを収容する投函箱（収容ケース）と、蝶番を介して投函箱の背面側に接続して支持され、取出口を開閉可能に閉塞する取出口開閉蓋扉とを備えて構成されている（例えば、特許文献１参照）。
【０００４】
さらに、投函箱の内側に折曲可能に取り付けられて投函口を開閉するフラップを備え、このフラップによって投函口が開閉可能に閉塞されから投函物が外に落ちてこないように、且つ収容した投函物が容易に抜き出されないように構成されている。
【０００５】
さらに、取出口開閉蓋扉は、カムロック式ダイヤル錠、プッシュ錠などの錠前が取り付けられて施錠できるように構成されている。
【先行技術文献】
【特許文献】
【０００６】
【特許文献１】特開２００５−１８５６９４号公報
【発明の概要】
【発明が解決しようとする課題】
【０００７】
一方、上記従来のように投函箱の前面の投函口から投函物が投函され、投函箱の背面の取出口から投函物を取り出す前入れ後ろ出し式ではなく、前面の投函口から投函された投函物を投函箱の前面側から取り出す前入れ前出し式のポストが求められる場合がある。
【０００８】
そして、投函口が貫通形成された投函箱の前面を開閉可能な取出口開閉蓋扉にして前入れ前出し式で縦型のポストを実現することが考えられるが、このように構成した場合には、ポストの前面に投函口や錠前などが一緒に配設され、見栄えが悪くなってしまう。
【０００９】
本発明は、上記事情に鑑み、見栄えを損なうことがなく、且つ優れた取扱性を備えた前入れ前出し式で縦型のポストを提供することを目的とする。
【課題を解決するための手段】
【００１０】
上記の目的を達するために、この発明は以下の手段を提供している。
【００１１】
本発明のポストは、前面に開口部を有し、縦長に形成された矩形箱状の投函箱と、投函口開閉蓋扉と、投函口が貫通形成された取出口開閉蓋扉とを備えてなり、前記投函口開閉蓋扉は、前記投函箱に上下方向に延びる軸線周りに回動可能に支持されて前記開口部を開閉するように設けられ、前記取出口開閉蓋扉は、閉じた状態で前記投函口開閉蓋扉と所定の間隔をあけて前記投函口開閉扉よりも前記投函箱の後端側に配設され、且つ、前記投函箱に上下方向に延びる軸線周りに回動可能に支持されて前記投函口開閉蓋扉よりも前記投函箱の後端側に形成された取出口を開閉するように設けられていることを特徴とする。
【００１２】
この発明においては、投函口開閉蓋扉を開くことによって、取出口開閉蓋扉が露出し、この取出口開閉蓋扉に設けられた投函口から投函箱の内部に投函物を容易に投函することができる。また、投函口開閉蓋扉を開き、取出口開閉蓋扉を開くことによって、投函箱の内部に収容された投函物を容易に取り出すことができる。
【００１３】
そして、投函箱の前面の開口部を開閉する投函口開閉蓋扉と取出口開閉蓋扉の２つの蓋扉を備えるようにし、投函口を備えた取出口開閉蓋扉を、閉じた状態で投函口開閉蓋扉と所定の間隔をあけて投函口開閉扉よりも投函箱の後端側に配設するようにしたことで、すなわち、取出口開閉蓋扉をセットバック配置したことで、前入れ前出し式でポストを構成した場合であっても、見栄えをよくすることができる。
【００１４】
また、本発明のポストにおいては、前記投函口開閉蓋扉が、前記投函箱の前端を形成する一側端部側に回動可能に支持され、前記取出口開閉蓋扉が、前記投函口開閉蓋扉よりも前記投函箱の後端側の一側端部側に回動可能に支持されていることが望ましい。
【００１５】
この発明においては、投函箱の前面の開口部を開閉する投函口開閉蓋扉と取出口開閉蓋扉の２つの蓋扉を備え、投函口を備えた取出口開閉蓋扉が投函口開閉蓋扉と所定の間隔をあけて投函口開閉扉よりも投函箱の後端側に配設されているため（取出口開閉蓋扉がセットバック配置されているため）、これら投函口開閉蓋扉と取出口開閉蓋扉の両蓋扉を、ともに投函箱の同じ一側端部側に回動可能に支持させ、同方向に回動（開閉動）するように設けることができる。
【００１６】
そして、このように投函口開閉蓋扉と取出口開閉蓋扉の両蓋扉が同方向に回動して開閉するように構成すると、投函物を投函したり、投函物を取り出す際に、片方の手で投函口開閉蓋扉と取出口開閉蓋扉の両蓋扉を容易に開閉操作することができ、取扱性（操作性）を大幅によくすることができる。
【００１７】
さらに、本発明のポストにおいては、前記投函口開閉蓋扉よりも前記投函箱の後端側の上部側に、上端から下方に所定の長さをもって上部側の開口を塞ぐように固定板部が前記投函箱に一体に設けられており、前記固定板部によって該固定板部よりも下方に前記取出口が形成され、且つ、前記固定板部に前記取出口開閉蓋扉を施錠するための錠前が取り付けられていることがより望ましい。
【００１８】
この発明においては、取出口開閉蓋扉が投函口開閉蓋扉と所定の間隔をあけて投函口開閉扉よりも投函箱の後端側に配設されているため（取出口開閉蓋扉がセットバック配置されているため）、この投函口開閉蓋扉と取出口開閉蓋扉の間の空所内にカムロック式ダイヤル錠などの錠前を納めて配置することができる。
【００１９】
そして、投函箱の固定板部に錠前を取り付けることにより、錠前が投函箱の固定板部に固定され、取出口開閉蓋扉の開閉に従動することがない。このため、例えば、投函口開閉蓋扉と取出口開閉蓋扉の両蓋扉が同方向に回動して開閉するように構成した場合であっても、取出口開閉蓋扉の開閉時に錠前が投函口開閉蓋扉に干渉することがない。これにより、取扱性（操作性）をさらに向上させることができる。
【００２０】
また、本発明のポストにおいて、前記取出口開閉蓋扉には、前記投函口を形成する周縁の両側縁部にそれぞれ上下方向に延びる軸線周りに回動可能に接続し、前記投函口の各側縁部側から幅方向中央に向けて突出し、前記取出口開閉蓋扉を閉じた状態で前記投函箱の内側に回動して両開きする一対のフラップが設けられていることがさらに望ましい。
【００２１】
この発明においては、取出口開閉蓋扉に形成された投函口に、片開きではなく、投函箱の内側に両開き（観音開き）するように一対のフラップが設けられていることにより、一対のフラップによって投函箱に収容された投函物が外部に落ちることを防止できるとともに、一対のフラップの各フラップの幅を片開きのフラップの幅よりも小さくすることができる。このため、フラップが投函箱の内側に折れ曲がるように回動した際に投函箱の内部でのフラップの稼働領域を小さく抑えることが可能になる。
【００２２】
これにより、取出口開閉蓋扉を投函口開閉蓋扉と所定の間隔をあけて投函口開閉扉よりも投函箱の後端側に配設した場合であっても（取出口開閉蓋扉をセットバック配置した場合であっても）、フラップの可動領域を小さく抑えることができることによって投函箱の収容空間の容量を大きく確保することが可能になる。よって、本発明のようにポストを構成した場合であっても、大型の投函物を投函箱に入れた際にこの大型の投函物がフラップに干渉して好適に収容できなくなることを回避できる。
【００２３】
さらに、本発明のポストにおいては、前記投函口の上部側に前記フラップがない所定の高さ寸法の開口部分を残すように、前記一対のフラップが設けられていることが望ましい。
【００２４】
この発明においては、投函口の一対のフラップよりも上方にフラップがない開口部分を形成することによって、このフラップがない投函口の開口部分から、例えば、幅１２０ｍｍ程度以下のはがきや長形３号、洋形長３号、洋形３号、長形４号の定型郵便物などの汎用の投函物を直接投函箱内に投入することが可能になる。これにより、取扱性をより向上させることができる。
【００２５】
また、本発明のポストにおいては、前記フラップがない所定の高さ寸法の開口部分の下端側がＶ字状を呈するように、前記一対のフラップがそれぞれ、上端側に切欠き部を備えて形成されていることがより望ましい。
【００２６】
この発明においては、各フラップの上端部に切欠き部を備えることにより、一対のフラップを閉じた状態で、フラップがない所定の高さ寸法の開口部分の下端側をＶ字状に形成することができる。これにより、フラップがない投函口の開口部分から投函物を投函箱内に投入する際に、例えば幅１２０ｍｍ程度以下の汎用の投函物を斜めにしてもフラップに引っかかりにくくなり、好適に投函することが可能になる。よって、取扱性をさらに向上させることができる。
【００２７】
さらに、本発明のポストにおいては、前記投函箱内に設けられ、前記投函口から投函された投函物を受けるトレイを備えており、前記トレイは、底板と底板の周縁から上方に突出する側板からなり前記投函物を受けるトレイ本体部と、前記トレイ本体部の前端側、且つ前記投函箱内に収容した状態で前記投函箱の他側端側に設けられ、前記トレイ本体部から上方に突設された指掛け部とを備えて形成されていることが望ましい。
【００２８】
この発明においては、取出口開閉蓋扉を開き、トレイ本体部の指掛け部に指をかけて手前にトレイを引き込んだり、指掛け部を摘んで手前にトレイを引くむなどして、投函物をトレイとともに容易に取り出すことができる。
【００２９】
このとき、指掛け部が投函口開閉蓋扉や取出口開閉蓋扉の回動軸と逆の投函箱の他側端部側に設けられていると、この指掛け部に指をかけたり、指掛け部を手前に引き込みやすく、さらに容易に投函物を取り出すことが可能になる。
【００３０】
さらに、本発明のポストにおいて、前記トレイ本体部には、前端側に前記底板から下方に突出する係合凸部が設けられ、前記投函箱には、前記トレイを内部の所定位置に収容した状態で、前記トレイ本体部の係合凸部が係合する係合凹部が凹設され、前記係合凸部を前記係合凹部に係合させた状態で前記指掛け部に指をかけ手前に引き込むことにより前記係合凸部中心に前記トレイが回動するように構成されていることがより望ましい。
【００３１】
この発明においては、係合凸部が係合凹部に引っ掛かって係合しているため、トレイの指掛け部に指をかけて手前にトレイを引っ張るように引き込むと、係合凸部中心にトレイを傾動（回動）させることができる。このようにトレイを傾動させることができるため、トレイ本体部上の投函物を容易に取り出すことが可能になる。また、軽く小さな投函物が投函箱の内部で引っ掛かって取り出せなくなることを回避することも可能になる。
【発明の効果】
【００３２】
本発明のポストにおいては、見栄えをよくしつつ、優れた取扱性を備えた前入れ前出し式で縦型のポストを実現することが可能になる。
【図面の簡単な説明】
【００３３】
【図１】本発明の一実施形態に係るポストを備えた門袖壁などの壁構造体を示す斜視図である。
【図２】本発明の一実施形態に係るポストを示す側断面図である。
【図３】本発明の一実施形態に係るポストを示す横断面図である。
【図４】本発明の一実施形態に係るポストの投函口開閉蓋扉を開いた状態の正面図である。
【図５】本発明の一実施形態に係るポストのトレイの傾動機構部を拡大した図である。
【発明を実施するための形態】
【００３４】
以下、図１から図５を参照し、本発明の一実施形態に係るポストについて説明する。
【００３５】
本実施形態のポストＡは、図１に示すように、例えば、住宅などの敷地と外部の出入り口などに設置される門袖壁などの壁構造体１に取り付けて一体に設けられている。
【００３６】
壁構造体１は、乾式工法で構築されるものであり、下端側を地中に埋設した基礎に支持させ、幅方向に所定の間隔をあけて立設された複数の支柱２と、支柱２の下端側同士を繋ぐように架設された下枠（下桟、巾木）と、支柱２の上端側同士を繋ぐように架設された上枠（上桟）と、上枠と下枠の間に所定の間隔をあけて設けられ、支柱２の中間部同士を繋ぐように架設された中枠（中桟）と、支柱２、上枠、中枠、下枠の前面と後面にそれぞれ固着して支持され、前後の壁面を形成する一対の壁パネルと、各壁パネルの表面に一体に積層して配設される外装材３とを備えて構成されている。
【００３７】
そして、この壁構造体１には、ポストＡが側面に形成されたポスト設置用開口４に挿入し、壁構造体１に内蔵して設置されている。
【００３８】
また、本実施形態のポストＡは、郵便物などの投函物を前から入れて前から出す形式のポストであり、例えば想定しうる最大サイズの投函物を収容できるように高さ寸法及び奥行寸法を設定した縦型のポストとされている。
【００３９】
具体的に、本実施形態のポストＡは、図１から図４に示すように、投函物を収容する投函箱５と、投函口開閉蓋扉６と、取出口開閉蓋扉７と、投函箱５内に設けられ、投函口８から投函された投函物を受けるトレイ９とを備えて構成されている。
【００４０】
投函箱５は、例えば金属製であり、高さ寸法Ｈ及び奥行寸法Ｌを幅寸法Ｗよりも大きくして矩形箱状の縦長で形成されるとともに、縦長の前面を開口して形成されている。また、本実施形態の投函箱５においては、前面側の上部側に、上端から下方に所定の長さ（高さ）をもって上部側の開口を塞ぐように固定板部１０が設けられ、この投函箱５の固定板部１０にカムロック式ダイヤル錠などの錠前１１が取り付けられている。また、本実施形態では、この錠前１１が投函箱５の幅Ｗ方向中央よりもやや他側端部５ｂ側（投函口開閉蓋扉６や取出口開閉蓋扉７を回動可能に支持する一側端部５ａ側と反対側の側端部５ｂ側）に配設されている。
【００４１】
さらに、本実施形態の投函箱５においては、固定板部１０にカムロック式ダイヤル錠などの錠前１１を設けるようにしているため、この錠前１１の突出寸法に応じ、投函箱５の前面を形成する前端５ｃよりも奥行Ｌ方向後方側に固定板部１０が配設されている。すなわち、本実施形態の投函箱５では、固定板部１０の下方に取出口１２が形成され、投函箱５の前面を形成する前端５ｃと固定板部１０及び取出口１２との奥行Ｌ方向の間に錠前１１の突出寸法に応じた奥行寸法の空所１３が形成されている。
【００４２】
投函口開閉蓋扉６は、蝶番（回動部材）１５を介して投函箱５の前面を形成する前端５ｃの一側端部５ａ側にヒンジ接続し、蝶番１５の上下方向に延びる軸線周りに回動可能に設けられて投函箱５の前端５ｃによって形成された開口部を開閉する。投函口開閉蓋扉６は、壁構造体１の厚さに合わせて幅寸法を投函箱５よりも大きくし、高さ寸法を投函箱５と略同等にし、投函箱５の前端５ｃに形成された開口部全体を開閉できるように形成されている。
【００４３】
取出口開閉蓋扉７は、蝶番（回動部材）１６を介し、投函口開閉蓋扉６の蝶番１５と同じ投函箱５の前面の一側端部５ａ側にヒンジ接続して、蝶番１６の上下方向に延びる軸線周りに回動可能に設けられている。また、取出口開閉蓋扉７は、投函口開閉蓋扉６よりも奥行Ｌ方向後方側に設けられ、固定板部１０の下方に形成された取出口１２を開閉するように設置されている。
【００４４】
さらに、この取出口開閉蓋扉７には、扉先側の前面側に一端を繋げ、前方に突出するとともに折れ曲がって略Ｌ字状に形成された取っ手１７が設けられている。これにより、この取っ手１７に指をかけて引っ張り、あるいは押すことによって取出口開閉蓋扉７の開閉が容易に行える。
【００４５】
この取っ手１７は、指を挿入してかける凹み部分が１５ｍｍ程度の幅寸法ｄ１を備え、これにより、容易に且つ好適に指をかけて取出口開閉蓋扉７を開閉できるように形成されている。また、取っ手１７は、取出口開閉蓋扉７を閉じた状態で、投函箱５の前端５ｃと固定板部１０及び取出口１２との奥行Ｌ方向の間の空所１３に納まるように形成されている。
なお、取っ手１７は取出口開閉蓋扉７の他の部分と異なる色で形成（着色）するようにしてもよい。この場合には、例えば暗くても取っ手１７の部位を容易に識別できる。
また、本実施形態では、この取っ手１７を取出口開閉蓋扉７の上端から下端まで延設するようにしているが、取出口開閉蓋扉７の上端から下端までの間で部分的に取っ手１７を設けるようにしてもよい。
【００４６】
さらに、本実施形態の取出口開閉蓋扉７は、幅方向中央に上端側から下端側に延設して縦長で矩形状の投函口８が開口形成されている。そして、この投函口８を形成する周縁の両側縁部にそれぞれ上下方向に延びる軸線周りに回動可能に接続し、投函口８の各側縁部側から幅方向中央に向けて突出する一対のフラップ２０が並設されている。すなわち、本実施形態では、取出口開閉蓋扉７を閉じた状態で投函箱５の内側に折り曲がるように回動して観音開き（投函箱５の内側に両開き）する一対のフラップ２０が設けられている。
【００４７】
また、これら一対のフラップ２０は、投函口８の上端から例えば１３０ｍｍ程度下方の位置から下端までの部分に設置されている。これにより、本実施形態では、投函口８の一対のフラップ２０よりも上方にフラップ２０がない開口部分２１が形成されている。このフラップ２０がない投函口８の開口部分２１は、幅１２０ｍｍ程度以下のはがきや長形３号、洋形長３号、洋形３号、長形４号の定型郵便物などの汎用の投函物を直接に投函箱５内に投入する開口部とされている。
【００４８】
また、本実施形態では、各フラップ２０がその上端部に投函口８の側縁部側から幅方向中央に向かうに従い漸次下方に傾斜する切欠き部２２を備えて形成されている。これにより、一対のフラップ２０を閉じた状態で一対のフラップ２０の上端部側、ひいてはフラップ２０がない投函口８の開口部分２１の下端にＶ字状の切欠き部２２が形成され、幅１２０ｍｍ程度以下の汎用の投函物を斜めにして投函する場合であってもフラップ２０に引っかかりにくく、好適に投函できるように構成されている。
【００４９】
さらに、本実施形態の一対のフラップ２０は、ポリカーボネートなどを用い、半透明（あるいは透明）に形成されている。これにより、投函口８を塞ぐように配された状態であっても投函箱５の内部をフラップ２０越しに見ることができるようになっている。
【００５０】
さらに、本実施形態のポストＡは、投函口８から投函された投函物を受けるトレイ９が投函箱５の内部に挿入して設けられている。このトレイ９は、幅が投函箱５よりも僅かに小さな寸法で形成されて取出口１２よりも後方の投函箱５の底部上に配設されている。
【００５１】
また、本実施形態のトレイ９は、底板２３ａと底板２３ａの周縁から上方に突出する側板２３ｂからなる略矩形板状のトレイ本体部２３と、トレイ本体部２３の前端側、且つトレイ９を投函箱５内に収容した状態で投函箱５の他側端部５ｂ側の角部に設けられ、トレイ本体部２３の角部のＬ字状の側板２３ｂに繋がって上方に突設されたＬ字状の指掛け部２４とを備えて形成されている。
【００５２】
さらに、トレイ本体部２３には、前端側に底板２３ａから下方に突出する係合凸部２５が設けられている。また、トレイ９を投函箱５内に収容した状態で投函箱５の一側端部５ａ側に配されるトレイ本体部２３の一側端部側には、前端から後端側に延びる平面視矩形状の切欠き部２６が設けられている。
【００５３】
まず、トレイ９を投函箱５内の所定位置に収容した状態で、トレイ本体部２３の係合凸部２５が投函箱５の底板の前端側に凹設された溝状の係合凹部２７に係合している。そして、図５に示すように、トレイ９の指掛け部２４に指をかけて手前にトレイ９を引っ張るように引き込むと、係合凸部２５が係合凹部２７に引っ掛かっていることでトレイ９が係合凸部２５中心に後端側を上方に持ち上げるように回動する。これにより、トレイ本体部２３が上方に傾動し、トレイ本体部２３上の投函物を容易に取り出せる。すなわち、従来のように軽く小さな投函物が投函箱５の内部で引っ掛かって取り出せなくなることがない。
【００５４】
また、トレイ９の指掛け部２４を摘み、トレイ本体部２３の係合凸部２５を投函箱５の係合凹部２７から外すように持ち上げ、手前にトレイ９を引くと、トレイ９が取出口１２から前方外側にスライド移動する。
【００５５】
また、このとき、本実施形態では、トレイ本体部２３の切欠き部２６の奥行Ｌ方向の長さ分だけスライドさせると、トレイ本体部２３の切欠き部２６を形成する部分の前端に投函箱５の一側端部５ａ側が当接する。これにより、それ以上トレイ９が前方にスライドすることが規制される。
【００５６】
したがって、上記のように構成した本実施形態のポストＡにおいては、まず、投函口開閉蓋扉６を開くことによって、取出口開閉蓋扉７が露出し、この取出口開閉蓋扉７に設けられた投函口８から投函箱５の内部に投函物を容易に投函することができる。また、投函口開閉蓋扉６を開き、取出口開閉蓋扉７を開くことによって、投函箱５の内部に収容された投函物を容易に取り出すことができる。
【００５７】
そして、投函箱５の前面の開口部を開閉する投函口開閉蓋扉６と取出口開閉蓋扉７の２つの蓋扉を備えるようにし、投函口８を備えた取出口開閉蓋扉７を、閉じた状態で投函口開閉蓋扉６と所定の間隔をあけて投函口開閉扉６よりも投函箱５の後端側に配設するようにしたことで、すなわち、取出口開閉蓋扉７をセットバック配置したことで、前入れ前出し式でポストＡを構成した場合であっても、見栄えをよくすることができる。
【００５８】
また、本実施形態のポストＡにおいては、取出口開閉蓋扉７がセットバック配置されているため、投函口開閉蓋扉６と取出口開閉蓋扉７の両蓋扉を、蝶番（回動部材）１５、１６をともに投函箱５の一側端部５ａ側に設け、投函箱５の同じ一側端部５ａ側に回動可能に支持させることができる。すなわち、投函口開閉蓋扉６と取出口開閉蓋扉７をともに同方向に開閉するように設置することができる。
【００５９】
そして、このように投函口開閉蓋扉６と取出口開閉蓋扉７の両蓋扉が同方向に回動して開閉するように構成すると、投函口開閉蓋扉６と取出口開閉蓋扉７が逆方向に回動して開閉するように構成した場合と比較し、例えば片手に荷物を持っているような場合であっても荷物を持ち替えることなく、他方の手で容易に投函口開閉蓋扉６と取出口開閉蓋扉７を開閉操作することができ、大幅に取扱性（操作性）をよくすることができる。
【００６０】
さらに、取出口開閉蓋扉７がセットバック配置されているため、投函口開閉蓋扉６と取出口開閉蓋扉７の間の空所１３内にカムロック式ダイヤル錠などの錠前１１を納めて配置することができる。
【００６１】
また、投函箱５の固定板部１０に錠前１１を取り付けることにより、錠前１１が投函箱５の固定板部１０に固定され、取出口開閉蓋扉７の開閉に従動することがない。このため、投函口開閉蓋扉６と取出口開閉蓋扉７の両蓋扉が同方向に回動して開閉するように構成した場合であっても、取出口開閉蓋扉７の開閉時に錠前１１が投函口開閉蓋扉６に干渉することがない。これにより、取扱性をさらに向上させることができる。
【００６２】
また、投函口開閉蓋扉６と取出口開閉蓋扉７の間の空所１３に納まるようにして取出口開閉蓋扉７に取っ手１７を設けることができる。これにより、この取っ手１７に指を引っ掛けて容易に取出口開閉蓋扉７の開閉を行うことが可能になる。
【００６３】
このとき、１５ｍｍ程度の幅寸法ｄ１で取っ手１７の指を挿入してかける凹み部分を形成することによって、容易に且つ好適に指をかけて取出口開閉蓋扉７を開閉できる。さらに、取っ手１７が取出口開閉蓋扉７の他の部分と異なる色で形成されていることで、例えば暗くてもその部位を容易に識別でき、取出口開閉蓋扉７の開閉を好適に行うことが可能になる。
【００６４】
また、本実施形態のポストＡにおいては、取出口開閉蓋扉７に形成された投函口８に、片開きではなく、観音開き（投函箱５の内側に両開き）する一対のフラップ２０が設けられている。これにより、一対のフラップ２０によって投函箱５に収容された投函物が外部に落ちることを防止できる。さらに、一対のフラップ２０の各フラップ２０の幅を片開きのフラップの幅よりも小さくすることができるため、フラップ２０が投函箱５の内側に折れ曲がるように回動した際に投函箱５の内部でのフラップ２０の稼働領域を小さく抑えることが可能になる。
【００６５】
これにより、取出口開閉蓋扉７をセットバック配置した場合であっても、フラップ２０の可動領域を小さく抑えることができることによって投函箱５の収容空間の容量を大きく確保することが可能になる。よって、本実施形態のようにポストＡを構成した場合であっても、大型の投函物を投函箱５に入れた際にこの大型の投函物がフラップ２０に干渉して好適に収容できなくなることを回避できる。
【００６６】
さらに、片開きのフラップに比べ、観音開きする一対のフラップ２０を備えた場合には、手を挿入してフラップ２０を開き、投函箱５の内部に収容された投函物を引き抜くことが難しくなる。このため、投函箱５内の投函物の盗難を抑止することも可能になりえる。
【００６７】
また、一対のフラップ２０が半透明（透明）に形成されていることによって、フラップ２０を閉じた状態であっても投函箱５の内部の投函物の有無をフラップ２０越しに知ることができる。
【００６８】
また、一対のフラップ２０が、投函口８の上端から例えば１３０ｍｍ程度下方の位置から下端までの部分に設置されていることにより、投函口８の一対のフラップ２０よりも上方にフラップ２０がない開口部分２１を形成することができる。これにより、フラップ２０がない投函口８の開口部分２１から、幅１２０ｍｍ程度以下のはがきや長形３号、洋形長３号、洋形３号、長形４号の定型郵便物などの汎用の投函物を直接投函箱５内に投入することが可能になる。
【００６９】
また、各フラップ２０の上端部に投函口８の側縁部側から幅方向中央に向かうに従い漸次下方に傾斜する切欠き部２２を備えたことにより、一対のフラップ２０を閉じた状態で一対のフラップ２０の上端部側、ひいてはフラップ２０がない投函口８の開口部分２１の下端をＶ字状に形成することができる。これにより、幅１２０ｍｍ程度以下の汎用の投函物を斜めにしてもフラップ２０に引っかかりにくくなり、好適に投函することが可能なる。
【００７０】
また、本実施形態では、トレイ９がトレイ本体部２３と指掛け部２４とを備えて形成され、トレイ本体部２３の前端側に底板２３ａから下方に突出し、トレイ９を投函箱５内の所定位置に収容した状態で、投函箱５の底板の前端側に凹設された溝状の係合凹部２７に係合する係合凸部２５が設けられている。
【００７１】
これにより、トレイ９の指掛け部２４に指をかけて手前にトレイ９を引っ張るように引き込むと、係合凸部２５が係合凹部２７に引っ掛かって係合しているため、係合凸部２５中心にトレイ９を傾動（回動）させることができる。よって、トレイ本体部２３上の投函物を容易に取り出すことができ、従来のように軽く小さな投函物が投函箱５の内部で引っ掛かって取り出せなくなることを解消することが可能になる。
【００７２】
また、このとき、指掛け部２４が、投函口開閉蓋扉６と取出口開閉蓋扉７の回動軸（蝶番１５、１６）がある投函箱５の一側端部５ａ側ではなく、投函箱５の他側端部５ｂ側の角部に設けられていることにより、この指掛け部２４に指をかけたり、指掛け部２４を手前に引き込みやすく、容易にトレイ９を傾動させて投函物を取り出すことが可能になる。
【００７３】
また、トレイ９の指掛け部２４を摘み、トレイ本体部２３の係合凸部２５を投函箱５の係合凹部２７から外すように持ち上げ、手前にトレイ９を引くと、トレイ９が取出口１２から前方にスライド移動する。これにより、従来と同様にトレイ９をスライドさせて投函物を取り出すこともできる。
【００７４】
また、このとき、トレイ本体部２３の切欠き部２６の奥行方向の長さ分だけスライドさせると、トレイ本体部２３の切欠き部２６の前端に投函箱５の一側端部５ａ側が当接する。これにより、それ以上トレイ９が前方にスライドすることが規制され、トレイ９が前方に引き出され過ぎて落下するようなことがない。
【００７５】
よって、本実施形態のポストＡによれば、見栄えをよくしつつ、優れた取扱性を備えた前入れ前出し式で縦型のポストを実現することが可能になる。
【００７６】
以上、本発明に係るポストの一実施形態について説明したが、本発明は上記の一実施形態に限定されるものではなく、その趣旨を逸脱しない範囲で適宜変更可能である。
【符号の説明】
【００７７】
１      壁構造体
２      支柱
３      外装材
４      ポスト設置用開口
５      投函箱
５ａ    一側端部
５ｂ    他側端部
５ｃ    前端
６      投函口開閉蓋扉
７      取出口開閉蓋扉
８      投函口
９      トレイ
１０    固定板部
１１    錠前
１２    取出口
１３    空所
１５    蝶番
１６    蝶番
１７    取っ手
２０    フラップ
２１    フラップがない開口部分
２２    切欠き部
２３    トレイ本体
２３ａ  底板
２３ｂ  側板
２４    指掛け部
２５    係合凸部
２６    切欠き部
２７    係合凹部
Ａ      ポスト
【図１】
0006397336.tif 000002
【図２】
0006397336.tif 000003
【図３】
0006397336.tif 000004
【図４】
0006397336.tif 000005
【図５】
0006397336.tif 000006